(57)【要約】【課題】  ガスタービンの信頼性を向上し、大量の水分を圧縮機へ供給できるものとなる。【解決手段】  空気を圧縮する圧縮機１０と、圧縮機１０で圧縮された空気と燃料とを燃焼する燃焼器１２と、燃焼器１２で生成する燃焼ガスにより駆動されるタービン１４と、圧縮機１０の少なくとも上流もしくは中間段における作動空気に水を供給する加水装置４０とを有する。さらに、水が供給された作動空気が流通する流通経路の内壁面，ガスタービンのロータもしくはケーシング流路面に形成された回転対称な溝５０ａ，５０ｂ，５０ｃ，５０ｄ，５０ｅを備えている。【選択図】図１
2006037877.tif 000002
【特許請求の範囲】
【請求項１】
空気を圧縮する圧縮機と、この圧縮機で圧縮された空気と燃料とを燃焼する燃焼器と、この燃焼器で生成する燃焼ガスにより駆動されるタービンと、前記圧縮機の少なくとも上流もしくは中間段における作動空気に水を供給する加水装置とを有するガスタービン装置であって、
水が供給された作動空気が流通する流通経路の内壁面に形成された回転対称な溝もしくは突起を備えたことを特徴とするガスタービン装置。
【請求項２】
請求項１記載のガスタービン装置において、
前記回転対称な溝もしくは突起は、複数本、近接して設置されていることを特徴とするガスタービン装置。
【請求項３】
請求項１記載のガスタービン装置において、
前記回転対称な溝もしくは突起は、吸気の流れの後方に端部を有することを特徴とするガスタービン装置。
【請求項４】
請求項１記載のガスタービン装置において、
前記回転対称な溝もしくは突起は、その断面形状が矩形状であることを特徴とするガスタービン装置。
【請求項５】
請求項１記載のガスタービン装置において、
前記回転対称な溝は、その近傍を流れる吸気の流れ方向に対向する向きに開口していることを特徴とするガスタービン装置。
【請求項６】
請求項１記載のガスタービン装置において、
前記回転対称な溝に挿入された多孔質材を備えたことを特徴とするガスタービン装置。
【請求項７】
請求項１記載のガスタービン装置において、
前記回転対称な溝もしくは突起は、ガスタービンのロータもしくはケーシング流路面に設置されていることを特徴とするガスタービン装置。
【請求項８】
請求項１記載のガスタービン装置において、
前記回転対称な溝もしくは突起は、前記圧縮機の吸気ケーシング部近傍の主流流路面に設置されたことを特徴とするガスタービン装置。
【請求項９】
請求項１記載のガスタービン装置において、
前記回転対称な溝もしくは突起は、前記圧縮機の吐出ディフューザ部近傍の主流流路面に設置されたことを特徴とするガスタービン装置。
【請求項１０】
請求項１記載のガスタービン装置において、
前記回転対称な溝もしくは突起は、前記圧縮機の内周抽気部から前記ロータの冷却空気導入孔までの間に存在することを特徴とするガスタービン装置。
【請求項１１】
請求項１記載のガスタービン装置において、
前記回転対称な溝もしくは突起の重力方向下方に設けられたドレイン水路を備えていることを特徴とするガスタービン装置。
【発明の詳細な説明】
【技術分野】
【０００１】
本発明は、ガスタービン装置に係り、特に、作動空気に水分を加える噴霧冷却法に用いるに好適なガスタービン装置に関する。
【背景技術】
【０００２】
従来から夏場などの大気温度が上昇した際のガスタービン出力の低減を避ける手法の一つとして、圧縮機の上流や中間段で水を噴霧する噴霧冷却法が、例えば、特許第２８７７０９８号公報，ASME(American Society of Mechanical Engineers)論文, GT2003-38237，ASME(American Society of Mechanical Engineers)論文, GT2002-30562などにより知られている。そのような噴霧冷却において、圧縮機吐出までに蒸発する水分量が多ければ多いほど、ガスタービンの出力増強効果が大きいことは、一般に知られている。
【０００３】
【特許文献１】特許第２８７７０９８号公報
【非特許文献１】ASME(American Society of Mechanical Engineers)論文, GT2003-38237
【非特許文献２】ASME(American Society of Mechanical Engineers)論文, GT2002-30562
【発明の開示】
【発明が解決しようとする課題】
【０００４】
しかしながら、多量の水分を圧縮機の上流で噴霧すると、吸気ダクトやケーシング壁面に付着する液滴量が増大する。そのようにして壁面上に形成された液膜は、主流に引き千切られて粗大液滴となり、流れにのって移流されて壁面に衝突することでエロージョンを発生させる危険性があるなど、信頼性が低下する恐れがあった。特に、最近、吸気噴霧量の大容量化が検討されている。すなわち、従来は、吸気量に対する噴霧量が１％程度であったのを、３％以上まで増やして、ガスタービンの出力を増大させようとするものである。このように、吸気噴霧量が大容量化すると、さらに、壁面に付着する液滴量が増大し、問題が顕著となる。
【０００５】
本発明の目的は、ガスタービンの信頼性を向上し、大量の水分を圧縮機へ供給できるガスタービン装置を提供することにある。
【課題を解決するための手段】
【０００６】
（１）上記目的を達成するために、本発明は、空気を圧縮する圧縮機と、この圧縮機で圧縮された空気と燃料とを燃焼する燃焼器と、この燃焼器で生成する燃焼ガスにより駆動されるタービンと、前記圧縮機の少なくとも上流もしくは中間段における作動空気に水を供給する加水装置とを有するガスタービン装置であって、水が供給された作動空気が流通する流通経路の内壁面に形成された回転対称な溝もしくは突起を備えるようにしたものである。  
かかる構成により、ガスタービンの信頼性を向上し、大量の水分を圧縮機へ供給できるものとなる。
【０００７】
（２）上記（１）において、好ましくは、前記回転対称な溝もしくは突起は、複数本、近接して設置されているものである。
【０００８】
（３）上記（１）において、好ましくは、前記回転対称な溝もしくは突起は、吸気の流れの後方に端部を有するものである。
【０００９】
（４）上記（１）において、好ましくは、前記回転対称な溝もしくは突起は、その断面形状が矩形状である。
【００１０】
（５）上記（１）において、好ましくは、前記回転対称な溝は、その近傍を流れる吸気の流れ方向に対向する向きに開口しているものである。
【００１１】
（６）上記（１）において、好ましくは、前記回転対称な溝に挿入された多孔質材を備えたものである。
【００１２】
（７）上記（１）において、好ましくは、前記回転対称な溝もしくは突起は、ガスタービンのロータもしくはケーシング流路面に設置されているものである。
【００１３】
（８）上記（１）において、好ましくは、前記回転対称な溝もしくは突起は、前記圧縮機の吸気ケーシング部近傍の主流流路面に設置されたものである。
【００１４】
（９）上記（１）において、好ましくは、前記回転対称な溝もしくは突起は、前記圧縮機の吐出ディフューザ部近傍の主流流路面に設置されたものである。
【００１５】
（１０）上記（１）において、好ましくは、前記回転対称な溝もしくは突起は、前記圧縮機の内周抽気部から前記ロータの冷却空気導入孔までの間に存在するものである。
【００１６】
（１１）上記（１）において、好ましくは、前記回転対称な溝もしくは突起の重力方向下方に設けられたドレイン水路を備えているものである。
【発明の効果】
【００１７】
本発明によれば、ガスタービンの信頼性を向上し、大量の水分を圧縮機へ供給できるものとなる。
【発明を実施するための最良の形態】
【００１８】
以下、図１〜図４を用いて、本発明の一実施形態によるガスタービン装置の構成について説明する。  
最初に、図１を用いて、本実施形態によるガスタービン装置の要部構成について説明する。  
図１は、本発明の一実施形態によるガスタービン装置の構成を示す概略構成図であり、特に圧縮機の吸気部を中心に図示してある。
【００１９】
圧縮機１０は、圧縮機動翼３３が固定されたロータ系３６と、圧縮機静翼３２が取り付けられた外径側ケーシング３４Ｏと内径側ケーシング３４Ｉとからなるケーシング３４とから構成されている。ロータ系３６とケーシング３４は、中心軸ＣＡに対して回転対称に設けられている。
【００２０】
圧縮機１０の上流側には、圧縮機１０に供給される吸気を取り込む吸気ダクト２２が連結されている。吸気ダクト２２は、略直方体の形状である。吸気ダクト２２の先端には、フィルタ２４が設置される吸気フィルタ室２６が配置され、吸気フィルタ室２６の上流側部分にはルーバ２８が配置されている。
【００２１】
吸気ダクト２２には、上流から順にサイレンサ２７、加水装置４０およびトラッシュスクリーン２９が設置されている。なお、それらの順序は本例に限ったものではなく、サイレンサ２７の上流に加水装置４０が設置されていてもよいものである。また、加水装置４０が多段に設置されていてもよいものである。本ガスタービン装置では、加水装置４０により、運転条件に合わせて適切な水分が吸気空気に加えられる。
【００２２】
加水装置４０で加えられた水分と共に吸気ダクト２２を流下してきた空気は、外径側ケーシング３４Ｉと内径側ケーシング３４Ｏを接続するストラット３０によって整流され、入口ガイドベーン３１で適度な旋回速度を与えられた後、圧縮機動翼３３および静翼３２によって圧縮される。圧縮機１０により圧縮された圧縮空気は燃焼器に供給され、燃料と混合して高温ガスとなった後、タービン１４を駆動しながら膨張して大気へ排出される。圧縮機の動翼３３は、タービン動翼とロータ系３６を介して接続されており、タービン動翼で得たタービン出力を圧縮動力へ変換する役割を担う。タービン出力から圧縮動力を差し引いた残りは、ガスタービン出力として軸端３７に接続された発電機（図示せず）により電力に変換される。
【００２３】
以上の空気の流れは、熱力学的サイクルとして単純サイクルを採用したガスタービン装置の場合であるが、本発明は単純サイクルのガスタービンに限定されるものではなく、再生サイクルやＨＡＴ（Humid Air Turbine）サイクルなどの、他の熱力学的サイクルのガスタービン装置にも適用できる。また、本実施形態は軸流圧縮機を想定しているが、圧縮機の形式は遠心圧縮機や軸流と遠心の複合型の圧縮機であっても本質的な違いはないものである。
【００２４】
加水装置４０としては、例えば、噴霧ノズルを用いることもできるが、圧縮空気の流れる流路に面する構造物に水を供給して圧縮気流と接触させる方式等を使用してもよいものである。噴霧ノズルを用いた加水装置としては、例えば、特開平９−２３６０２４号公報に記載されたものなどを用いることができる。本実施形態においては、加水装置４０は圧縮機の入口、例えば第１段静翼から間隔を置いた吸気ダクト２２内に設置されている。加水された液状水分のうちの一部または全部は、圧縮機１０へ入るまでに蒸発し、吸気に含まれる熱量を水の蒸発潜熱として奪って、吸気の温度を湿球温度にまで低下させる。残された液滴のうちの全部または大部分は、圧縮仕事による空気の昇温熱により圧縮機内部で蒸発し、圧縮過程にある空気の温度を低下させる。
【００２５】
図１では、圧縮機上流の加水装置４０しか図示されていないが、圧縮機の中間段で水を加えても同様な効果が得られるため、圧縮機の段間に加水装置（図示せず）を設置してもよいものである。この方が圧縮仕事により昇温した空気に加水するため、冬場の吸気温度が低いときでも水分がケーシング表面などに着氷することを避けられる。
【００２６】
また、加水装置４０は、加水するための水分の供給を受ける補給水供給経路４８を有する。補給水供給経路４８は、例えば本ガスタービン装置及び関連機器の系外から水を導く形態になっていてもよい。或いは、本ガスタービン装置及び関連機器の系内から水を回収する形態でもよい。又或いは、加水装置４０の何れかが系外からの補給水を利用し、他方が回収水を主に利用するようにしてもよい。
【００２７】
本実施形態のガスタービン装置では、さらに、ダクト２２若しくはケーシング３４に設けられた中心軸ＣＡに対して回転対称な溝５０（５０ａ，５０ｂ，５０ｃ，５０ｄ，５０ｅ）を備えている。圧縮機１０のケーシング３４Ｉ，３４Ｏは、その主流流路面上に回転対称な溝５０ａ，５０ｂ，５０ｃを備えている。また、吸気ダクト２２の主流流路面上にも、回転対称な溝５０ｄ，５０ｅを備えている。圧縮機１０のケーシングのうち、特に吸気ダクトの近傍の圧縮機入口部分（ケーシング３４Ｉ，３４Ｏの上流部）を、一般に吸気ケーシングと呼び、特に吸気ケーシングのベル形状部分３９をベルマウスと呼ぶ。溝５０ａ，５０ｂは、吸気ダクト３４のベルマウス３９の入り口部分に設けられている。溝５０ｃは、吸気ダクト３４の下流側に設けられている。
【００２８】
ここで、図２を用いて、回転対称な溝５０の形状について説明する。ここでは、溝５０ｄを一例として説明する。  
図２は、本発明の一実施形態によるガスタービン装置に設けられた回転対称な溝の説明図であり、図１のＡ−Ａ矢視図である。なお、図１と同一符号は、同一部分を示している。
【００２９】
ダクト２２の壁面上に設置された回転対称な溝５０ｄは、中心軸ＣＡに対して回転対称に，すなわち、円環状に形成されている。溝５０ｄの底部には、溝に溜まった水を吸気ダクト底面へ導くための鉛直方向の溝５１が設けられている。溝５０ｄにより回収された水分は、溝部に落ち込むと主流流れの影響を受けにくくなるため、溝伝いに重力方向下方へ移動し、鉛直方向の溝５１によりダクト底面にまで導かれる。ダクト底面に溜まった水分は、さらなるドレイン配管５３などにより、定期的にバルブ５２を開閉して、系外へ放出される。
【００３０】
図１に示したように、本実施形態では、吸気ケーシング上や吸気ダクト出口に回転対称な溝５０a〜５０ｅが設置されており、ガスタービンの吸気はそれら溝部の上部を通り過ぎて、圧縮機内部に導かれる。主流に与える乱れや損失を最小限に抑えるために、これらの主流流路に面した部分には突起よりも溝を設置することが望ましい。また、液膜が一列の溝だけでは取り切れないことに対処するため、複数本の回転対称な溝を近接して設置するのも望ましい。この場合、溝から溢れた液水が主流に引き摺られる距離を短くするため、近接した溝同士の間隔は、溝幅と同程度から数倍程度が適当である。強度上の問題が無ければ、溝同士をより近づけてもよいものである。
【００３１】
本実施形態における回転対称な溝５０ｂは、断面形状を見たときに、流れの後流側に明確な端部５５を有している。明確な端部５５は、鋭角な形状を有し、溝５０ｂの内部に流入した液滴が再度吸気の流れによって吸い出され、吸気に中に取り込まれるのを防ぐ形状となっている。しかし、少なくとも一つの端部を有しさえすれば、基本的にどのような断面形状の溝であっても差し支えないものである。溝５０の形状としては、溝５０b，５０ｄ，５０ｅのように単純な矩形の溝であってもよいものである。単純な矩形の溝とは、その溝の中心軸が、中心軸ＣＡに対して直交若しくは平行な溝のことである。また、例えば溝５０aや５０ｃのように、主流の空気流れに対向する方向に開口部を傾けた断面形状を有する溝としてもよいものである。なお、溝５０ｂも、主流の空気流れに対向する方向に開口部を傾けた断面形状を有するものとなっている。また、回転対称な溝５０は、周方向のあらゆる位置において断面形状が一致している必要はなく、例えば、加工上の制約から、非回転対称な断面形状を有する部分を円周上の一部に有してもよいものである。さらに、溝５０の取り付け位置によっては、溝に溜まった水分の水はけを良くするため、図２に示すようなドレイン水路５１を溝部５０の円周上の一部に設けることが望ましいものである。
【００３２】
ここで、ガスタービン装置の作用・効果について説明する。加水装置４０で加えられた液状水分４１は、吸気と混合しながら吸気ダクト２２内を流下し、一部は蒸発して吸気温度を湿球温度近くにまで低減させる。残りの水分のうちの一部は、ダクト２２内を流下する過程でダクト壁面に付着する。それ以外の水分は液水のまま主流空気に運ばれて圧縮機内部へ導かれ、圧縮空気の昇温に応じて蒸発し、圧縮空気の冷却に寄与する。
【００３３】
一般に、液水の単位質量当たり表面積が多いほど、液水は空気中へ蒸発しやすい。すなわち、液水の形状が球に近く、かつ、その径が小さいほど、液水は空気中へ蒸発しやすい。壁面に付着した水分は、壁面と接触している分だけ空気との接触面積が減り、しかも壁面に付着した液滴同士は結合して液膜を形成するようになるため、単位質量当たりの液水に占める空気との接触面積の割合は小さい。つまり液滴は、壁面に付着すると蒸発しにくくなる。それゆえ、ダクト壁面に付着した液滴は、その多くが蒸発せずに壁伝いに重力方向下方へ流下し、累積して次第に厚い膜を形成する。できた液膜をそのまま放置すると、翼の後縁やケーシングのロータとの間隙３８などで、液膜が主流によって引き千切られて粗大液滴を形成し、壁面や翼面などに衝突してエロージョンを発生させる原因となる。それゆえ、壁面に付着した液膜は、粗大液滴となって飛散する前に、ドレインとして適切に回収する必要がある。
【００３４】
本実施形態のガスタービン装置では、ダクト壁面やケーシング壁面に回転対称な溝５０a〜５０ｅが設けられているため、壁伝いに流れてきた液膜が溝部５０に捕捉される。例えば、図１の溝５０bに着目すれば、吸気ダクト２２上を流れてきた液膜４３は、溝５０bに捕捉されて、溝部に溜まった液水４４になる。溝の深さにも依るが、溝部に落ちた液水４４は主流の流れ方向の影響を受けにくくなるため、主として重力方向下方へ溝伝いに流れることになる。従って、溝の重力方向下方に適切なドレインを設けておけば、壁面に付着して蒸発しにくくなった液膜を、溝部５０ａ〜５０ｅで集めてガスタービン系外へ除去することが可能である。
【００３５】
壁面に付着する液膜、例えば液膜４３などは、吸気に加えられた液水量に比例して、その量が多くなる。よって、吸気への加水量が多いほど、液膜が粗大液滴となって飛散し、エロージョンを発生させる可能性が高いものである。しかしながら、本実施形態のガスタービン装置は、壁面に付着した液水を回転対称な溝５０で適切に回収できるため、ガスタービンの信頼性を損なわずに、より多量の水分を圧縮空気に加えることが可能となる。それにより、夏場などの大気温度が高いときにおけるガスタービンの出力低減を大幅に改善することができる。また、溝部が基本的に回転対称な形状を成しているため、旋盤などにより追加工が容易で、コストも掛からない。
【００３６】
ガスタービンの上流や内部で蒸発する水分が多いほど、ガスタービンの出力が増加することは広く知られていたが、加水量の増加はエロージョンの発生につながると考えられていた。圧縮機の上流で加えられる水分は、加水装置４１によって十分に、例えば直径１０μm以下に、微粒化されてから噴霧されるため衝突衝撃が小さく、そのままではエロージョンを発生させることにならない。問題は、壁面に付着した液水が粗大液滴となって再度主流によって運ばれる場合である。ゆえに、壁面に付着した液水を粗大液滴の形成前に適切に回収できれば、加水量を増加させてもエロージョンは回避できる。したがって、本実施形態により、ガスタービンの信頼性を損なうことなく、加水量を増量でき、ガスタービンの出力を向上できる。
【００３７】
吸気ダクト２２の上流で加えられた液水４１は、流れの乱れや転向によって、その一部がダクト壁に付着する。吸気ダクト２２は、通常、鉛直に近い壁面を有し、その壁面は平面で構成されることが多いため、一旦、壁面に付着した液滴は、壁面から離散することなく、ダクト壁面に沿って重力下方へ流れることになる。また、加水装置４１は、蒸発距離を稼ぐため、圧縮機からなるべく離れた位置に設置することが望ましい。よって、加水装置４１は吸気ダクトの上流側に設置されることになり、吸気ダクトに付着している液水の量は吸気ダクトの下流側ほど多くなる。壁面に付着した水分といえども、吸気の冷却に寄与するため、なるべく圧縮機の入口近くにおいて壁面に付着した水分を回収した方が望ましい。よって、溝５０ａ，５０ｂ，５０ｄ，５０ｅなどのように、吸気ダクト２２とケーシング３４Ｉ，３４Ｏの接合部近傍に設置すれば、より多くの壁面付着水分を吸気へ蒸発させることができる。また、それらの位置は、吸気ダクト面上の液膜が十分に発達した位置にも相当するため、水分を回収する効果も高い。よって、設置すべき溝の本数もガスタービン全体として少なくでき、製造コストを抑えられる。
【００３８】
また、壁面に付着した液膜は、流れの方向が変わるベルマウス部３９や、壁面が途切れるケーシングとロータの間隙３８などで、流れに千切られて主流に離散する可能性が高い。本実施形態の溝５０ｂ，５０ｃなどのように、液膜が主流へ離散する可能性の高い位置の直前に溝を設けて液水を回収することは、より多くの水分を主流へ蒸発させられることになるため、ガスタービンのより一層の出力増強につながるとともに、加えた水の有効利用ということにもなる。
【００３９】
溝形状としては、溝５０ｂや溝５０ｄのように単純な矩形の溝も考えられるが、例えば溝５０ａや５０ｃのように、主流の空気流れに対向する方向に傾けて溝部を開口することも考えられる。この場合、開口部が主流と対向して設けられていることにより、主流の方向に引き摺られてきた液膜が溝部に入りやすくするとともに、一旦、溝部に流入した液水が、再度、主流に引き摺られて溝から漏れ出ることを防ぐことができる。このことにより粗大液滴の形成を確実に抑えることができ、ガスタービンの信頼性を向上することができる。
【００４０】
次に、図３を用いて、溝５０の他の断面形状について説明する。  
図３は、本発明の一実施形態によるガスタービン装置に設けられた回転対称な溝の他の断面形状の説明図である。図中において、矢印Ｖは吸気の流れ方向を示し、矢印ｇは重力方向を示している。なお、図１と同一符号は、同一部分を示している。
【００４１】
本実施形態で用いる回転対称な溝の断面形状は、矩形状の溝に限ったものではなく、図３（ａ）や図３（ｂ）のように、溝の間口が狭く、奥に行くにつれ広がっている形状の溝５５Ａ，５５Ｂであってもよいものである。こうすることにより、壁面上の液膜の捕獲率を高められるとともに、その底部５０は捕獲した水分の水分溜めの効果も持つため、溝部から水分が溢れ出ることを抑制して、より多くの水分を溝部に集積することが可能となる。
【００４２】
また、図３（ｃ）に示すように、断面が三角形状の突起５４Ａを設けてもよく、さらに、図３（ｄ）に示すように、突起５４Ｂの手前方向に溝５５Ｃを形成するようにしてもよいものである。
【００４３】
溝部の断面形状は、基本的には溝部に流れる水量から適当な溝幅や溝深さを決定すれば良いが、溝の開口部や溝幅が余りに狭くなると、液滴が開口部をブリッジしたり（架橋）、毛細管現象や水の粘性により溝部を水が流れにくくなったりするため、１ｍｍ〜１０ｍｍ程度の開口部幅や溝幅を有することが望ましいものである。また、溝深さは、５〜２０ｍｍ程度とする必要がある。
【００４４】
次に、図４を用いて、溝５０の他の構造について説明する。  
図４は、本発明の一実施形態によるガスタービン装置に設けられた回転対称な溝の他の構造を示す断面図である。なお、図１と同一符号は、同一部分を示している。
【００４５】
さらに、溝部５０に多孔質材５６を挿入するようにしてもよいものである。多孔質材としては、アルミナ等のセラミックスを用いることができる。このように多孔質材５６を溝５０に挿入することにより、一旦、溝部に流入した水分は、多孔質材５６に吸収され、多孔質材５６のなかを重力下方へ移動して末端から滴り落ち、ドレインとして回収される。溝部５０に多孔質材５６を挿入することにより、水の表面張力により多孔質材５６に沿って水分は流れるようになり、一旦、溝部に回収された水分が再度主流に引き摺れて溝から漏れ出ることを完全に防ぐことができる。
【００４６】
以上説明したように、本実施形態によれば、ガスタービンの信頼性を向上し、大量の水分を圧縮機へ供給できるものとなる。
【００４７】
次に、図５を用いて、本発明の他の実施形態によるガスタービン装置の構成について説明する。  
図５は、本発明の他の実施形態によるガスタービン装置の構成を示す概略構成図である。本例では、圧縮機１０の吐出部から、燃焼器１２およびタービン部１４までを中心に図示している。なお、図１と同一符号は、同一部分を示している。
【００４８】
本実施形態では、回転対称な溝５０ｆ，５０ｇ，５０ｈもしくは突起５４を、圧縮機１０の吐出部近傍もしくはタービン冷却空気のパス内に設けている。図示する例において、燃焼器１２以外の構成部品は、中心軸ＣＡに対して回転対称に構成されている。
【００４９】
図５の破線６０は、圧縮機１０の吐出からタービン１４の出口までの、主流空気の流れである。主流空気６０の流れは、圧縮機吐出を出たあと、燃焼器１２を通過し、燃料１１と混合しつつ燃焼し、タービン部１４に供給されて、タービン静翼１４０および動翼１４１を通って図示されていないスタックなどを介して大気へ放出される。
【００５０】
前述のように、本実施形態のガスタービン装置は、圧縮機１０の上流もしくは中間段において加水装置４０などにより液状水分を作動空気に加えるため、圧縮吐出部の空気の絶対湿度は外気の絶対湿度よりも高い。加水量によっては、加水装置で加えられた液水が圧縮機１０の吐出部においても蒸発せずに残っていることも考えられる。圧縮機の翼列内はロータ回転軸を中心とした強い旋回流れ場であるため、仮に圧縮機内部で液滴が残っていたとしても、その粗大なものは遠心力により外径側のケーシングへ追いやられることとなる。それゆえ、圧縮機の吐出部近傍で主流部に残っている液滴は、遠心力よりも空気の粘性の効果が支配的である微細な液滴が主であり、そのほとんどは圧縮機の吐出部に達するまでに蒸発すると考えてよいものである。従って、圧縮機１０の吐出部近傍で残っている液水はケーシング表面に多く、その部分の液水を回収することが粗大液滴の形成の防止に大きく寄与する。
【００５１】
また、ガスタービンの停止時に空気中の水分が凝縮し、ケーシングやロータ壁面上に水分が結露している場合も考えられる。通常のガスタービン停止時には、加水装置４０を止めたあと、乾燥空気により圧縮機１０内部に滞積した水分を十分パージしてからガスタービン本体を停止させる。ゆえに、的確な停止手順を踏んでいれば、過度な水分がガスタービン内部に凝縮することはない。しかし、ガスタービンの異状停止時には、ガスタービン内部に加えられた水分を十分にパージすることなく、ガスタービンを急停止させることもあり得るため、加えた水分や高湿分の空気がガスタービン内部に残留することが原因で、ケーシングのガスパス面やロータ面上に、通常のガスタービン以上に水分が結露する可能性がある。
【００５２】
そこで、本実施形態のガスタービン装置では、ケーシング壁面に付着した液水を除去するため、外側ケーシング３４Ｏに形成された回転対称な溝５０ｈと、内側ケーシング３４Ｉの外周に形成れた回転対称な溝５０ｇを備えている。すなわち、溝５０ｇ，５０ｈは、吐出ディフューザ部近傍の主流流路面に設けられている。特に、溝５０ｈは、一旦、流入した水が重力によって流れ出ないよう、液水溜め５６を有している。仮に、主流部内を移流される液滴が多い場合、ミストセパレータ５９を圧縮機吐出部近傍に設置して主流部の液滴を除去する工夫をしてもよいものである。これらにより、粗大液滴の形成を防ぎ、液滴の衝突によるエロージョンや、液滴が高温部に接触することによる熱衝撃による高温部材の破壊を回避でき、信頼性の高いガスタービン装置を提供することができる。
【００５３】
また、本実施形態のガスタービン装置は、圧縮機ガスパスの内周側に、ロータの高温部を冷却するための冷却空気を導入するための内周抽気孔６１を備えている。図３では、圧縮機の吐出段に内周抽気孔６１を設けてあるが、圧縮機の中間段に設けてもよいものである。また抽気孔ではなく、円周状に抽気用の隙間（抽気用スリット）であってもよいものである。抽気孔６１から導入された冷却空気６２は、圧縮機の内周側ケーシングとロータの間を通ってロータ３６を冷却し、さらにロータ３６に備えられた冷却空気導入孔６３を通ってロータ内に導かれてロータ内部を冷却する。本実施形態のガスタービン装置は、冷却空気６１が内周抽気孔６１から導入孔６３を通過するまでの冷却パスに、内側ケーシング３４Ｉの内周側に設けられた回転対称な溝５０ｆと、ロータ３６の外周に設けられた突起５４を備えている。すなわち、溝５０ｆ及び突起５４は、圧縮機の内周抽気部からロータの冷却空気導入孔までの間に設けられている。圧縮機の主流部からロータ壁面を伝わって冷却パスに流入した液水は、突起５４の遠心力によりケーシング面上へ飛ばされ、導入孔６３に流入することを防御される。冷却空気の流れ６１により、ケーシング壁面上を引き摺られてきた液膜は溝５０ｆによって冷却空気流とは分離され、ドレインとして回収される。このように、冷却パス内に流入してきた液水も、回転対称な溝もしくは突起によって回収することにより、粗大液滴の形成を避け、液滴によるエロージョンや液滴が高温部に接触することによる熱衝撃による高温部材の破壊を回避でき、より信頼性の高いガスタービン装置を提供することができる。
【００５４】
なお、本実施形態による溝もしくは突起の断面形状は、図５に記載されたものに限定されるものではなく、断面形状として明確な端部を有するものであればどんなものでもよいものである。例えば、図３に記載されたいずれを用いても本質的な効果に違いはない。また、図４に記載されたもののように、溝部５０に多孔質材５５を挿入したものであってもよいものである。
【００５５】
以上説明したように、本実施形態によれば、ガスタービンの信頼性を向上し、大量の水分を圧縮機へ供給できるものとなる。
【図面の簡単な説明】
【００５６】
【図１】本発明の一実施形態によるガスタービン装置の構成を示す概略構成図である。
【図２】図１のＡ−Ａ矢視図である。
【図３】本発明の一実施形態によるガスタービン装置に設けられた回転対称な溝の他の断面形状の説明図である。
【図４】本発明の一実施形態によるガスタービン装置に設けられた回転対称な溝の他の構造を示す断面図である。
【図５】本発明の他の実施形態によるガスタービン装置の構成を示す概略図である。
【符号の説明】
【００５７】
１０…圧縮機
１２…燃焼器
１４…タービン
２２…吸気ダクト
３２…圧縮機静翼
３３…圧縮機動翼
３４…ケーシング
３４Ｉ…外径側ケーシング
３４Ｏ…内径側ケーシング
３６…ロータ系
３９…ベルマウス
４０…加水装置
５０，５０ａ，５０ｂ，５０ｃ，５０ｄ，５０ｅ，５０ｆ，５０ｇ，５０ｈ…溝
５１…ドレイン水路
５５…端部
５６…液水溜め
【図１】
2006037877.tif 000003
【図２】
2006037877.tif 000004
【図３】
2006037877.tif 000005
【図４】
2006037877.tif 000006
【図５】
2006037877.tif 000007